(57)【要約】  【課題】  簡単な構造で、老若男女にも簡単に装着できて、土踏まず部に青竹踏みのような強い刺激効果が得られる健康用履物を提供するにある。  【解決手段】  ゴム底のウォーキングシューズやスニーカー、サンダル、スリッパなどの履物１の底面３の土踏まずに対応する部分に、青竹踏みのように押圧するための履物１のかかとから足指への軸線方向に対する横断面が小判状や直方状、台形状の突部５を所定の厚さに突設したものである。踏み台状の突部５は底面の全幅にわたって３０〜５０ｍｍの高さに突設し、踏み台状の突部５の下端面と履物１の先端および後端とを結ぶそれぞれの仮想面よりも突部５の前方側および後方側が十分に低くなっている。【選択図】        図１
0003120819.tif 000002
【実用新案登録請求の範囲】
【請求項１】
ゴム底のウォーキングシューズやスニーカー、サンダル、スリッパなどの履物の底面の土踏まずに対応する部分に、青竹踏みのように押圧するための履物のかかとから足指への軸線方向に対する横断面が小判状や直方状、台形状の突部を所定の厚さに突設したことを特徴とする健康用履物。
【請求項２】
踏み台状の突部を底面の全幅にわたって３０〜５０ｍｍの高さに突設した請求項１に記載の健康用履物。
【請求項３】
踏み台状の突部と履物の底部とを一体的に底部のゴム材で形成した請求項１または２に記載の健康用履物。
【請求項４】
踏み台状の突部の下端面と履物の先端および後端とを結ぶそれぞれの仮想面よりも突部の前方側および後方側が十分に低くなった請求項１ないし３のいずれかに記載の健康用履物。
【考案の詳細な説明】
【技術分野】
【０００１】
本考案は、履物分野におけるウォーキングシューズ、健康シューズ、サンダル、スリッパ等の健康用履物に関するものである。
【背景技術】
【０００２】
足は第二の心臓とも言われ、シューズやサンダルに足裏の経穴を刺激するための突起を突設したり、中敷きに突起を配設したものが知られている。しかし、これらのシューズやサンダルは、専ら歩きやすい歩行を主としているもので、それらの突起による経穴への刺激は大きくなく、余り効果的でない。
【０００３】
これに比べて椅子に腰をかけて足の指先からかかと、土踏まずでゴルフボールを足の裏で転がしてゴルフボールのディンプルの凹凸で刺激を与えることにより、血液循環を高めて筋肉のこりがとれたり、頭がすっきりしたりして集中力を高めることが知られている。
【０００４】
また、昔から健康にいいと言われているのに青竹踏みがあり、青竹に土踏まず、つま先、かかとで片足、両足を体重を利用して踏むことで、まんべんなく足の裏を適度に刺激でき、疲れがとれ、体全体の血液循環もよくなり、健康的になれる。
【０００５】
しかし、上記したように健康シューズは、歩きやすさが主なので、これらの手段に比べて足裏への刺激が弱い。
そこで、先願の特許調査をした結果、特開２００２−３２０５０１号公報、特開２００３−１８０４０４号公報、特開２００５−２４８０２４号公報などが検索された。
特開２００２−３２０５０１号公報はスポーツサンダルで、底の中央を高くして全体を逆山形状にしたもので、シーソー運動をして足首の関節を大きく動かしてアキレス腱やふくらはぎ、太股、内股の筋肉の伸縮を大きくして短時間に、短距離を歩いても運動量を多くとれて筋肉を鍛えられるなどの効果を発揮できるとされている。しかし、スポーツ愛好者には鍛練用に利用できても、老若男女が簡単に利用できるものでない。
【０００６】
また、特開２００３−１８０４０４号公報は、年齢、性別に関わらず、軽くウォーキングしながら運動不足を解消することを提案している。しかし、このウォーキングシューズは、靴底中央部にジャバラ式スプリングを装着するもので、靴底に軟らかい突起を付け、中底部にも凹凸の突起を設けるもので、構造が複雑となるとともに、土踏まず部への刺激も余り期待できない。
【０００７】
さらに、特開２００５−２４８０２４号公報は、地面に接する底部分に前方側が大きい楕円形状の突出部を形成して、そのため歩行する際に不安定になり、つま先立ちしなくてはならなくなってバランス神経を使い、脳や身体能力を活性化し、運動量を増加させるものである。そのため、歩きにくく、老若男女に簡単に利用することができないものであった。
【特許文献１】特開２００２−３２０５０１号公報
【特許文献２】特開２００３−１８０４０４号公報
【特許文献３】特開２００５−２４８０２４号公報
【考案の開示】
【考案が解決しようとする課題】
【０００８】
したがって、本考案は、老若男女にも簡単に装着できて、簡単な構造で土踏まず部に青竹踏みのような強い刺激効果が得られる健康用履物を開発することが課題であった。
【課題を解決するための手段】
【０００９】
本考案は、上記のような点に鑑みたもので、上記の課題を解決するために、ゴム底のウォーキングシューズやスニーカー、サンダル、スリッパなどの履物の底面の土踏まずに対応する部分に、青竹踏みのように押圧するための履物のかかとから足指への軸線方向に対する横断面が小判状や直方状、台形状の突部を所定の厚さに突設したことを特徴とする健康用履物を提供するにある。
【００１０】
また、踏み台状の突部を底面の全幅にわたって３０〜５０ｍｍの高さに突設した健康用履物を提供するにある。
【００１１】
さらに、踏み台状の突部の下端面と履物の底部とを一体的に底部のゴム材で形成した健康用履物を提供するにある。
【００１２】
さらにまた、踏み台状の突部と履物の先端および後端とを結ぶそれぞれの仮想面よりも突部の前方側および後方側が十分に低くなった健康用履物を提供するにある。
【考案の効果】
【００１３】
本考案の健康用履物は、ゴム底のウォーキングシューズやスニーカー、サンダル、スリッパなどの履物の底面の土踏まずに対応する部分に、青竹踏みのように押圧するための履物のかかとから足指への軸線方向に対する横断面が小判状や直方状、台形状の突部を所定の厚さに突設したことによって、この履物を装着して歩行すると、底面の突部が青竹踏みの踏み台のようになって強い刺激力を土踏まずに付与し、あたかも歩く青竹踏みの履物のような効果を奏し、短い距離の歩行で筋肉の刺激、運動不足の解消、健康の増進に大いに寄与できる。
【００１４】
また、踏み台状の突部を底面の全幅にわたって３０〜５０ｍｍの高さに突設することによって、歩くだけで底面の突部で適宜の刺激を土踏まず、足指先、かかとに逐次に付与できる。
【００１５】
さらに、踏み台状の突部と履物の底部とを一体的に底部のゴム材で形成することによって、踏み台状の突部を底部に強固に突設することができ、耐久性よく歩行して健康促進に寄与できる。
【００１６】
さらにまた、踏み台状の突部の下端面と履物の先端および後端とを結ぶそれぞれの仮想面よりも突部の前方側および後方側が十分に低くなったことによって、上記のように歩く青竹踏み効果を十分に奏するようにできる。
【考案を実施するための最良の形態】
【００１７】
本考案の健康用履物は、ゴム底のウォーキングシューズやスニーカー、サンダル、スリッパなどの履物の底面の土踏まずに対応する部分に、青竹踏みのように押圧するための履物のかかとから足指への軸線方向に対する横断面が小判状や直方状、台形状の突部を所定の厚さに突設したことを特徴としている。
【００１８】
健康用履物１は、ゴム底のウォーキングシューズやスニーカー、サンダル、スリッパなどの履物に適しているもので、通勤や日用に常用して長い距離を歩行するよりも、運動不足や健康用に短い距離を歩行するのに好ましいものである。
【００１９】
そのため、図１、図２のようにサンダルのゴム底の底部２の底面３の土踏まず部４に対応する部分に、底面３の全幅にわたって３０〜５０ｍｍの高さに突部５を底部２と同じ天然や合成のゴム材で一体的に突設して形成し、歩きながら青竹踏みのように土踏まずに強い刺激力を付与するようにできるとともに、足の指部やかかと部にも逐次適宜の刺激力が付与できるようにしている。
【００２０】
上記突部５の高さが３０ｍｍよりも低いと、底部２のゴム材質や厚さにもよるが、上記したような青竹踏み効果が乏しくなり、５０ｍｍよりも高くなると歩きにくくなって好ましくない。より好ましくは、３５〜４５ｍｍ位である。
【００２１】
また、上記突部５としては、図１、図２のように履物１のかかとから足指方向への長さが３０〜４０ｍｍ位としていて青竹踏み効果を奏するようにしている。この突部５の前後端部は、１０〜３０ｍｍ位の所定の曲率半径のアール部６、７としておくのが歩きやすくて好ましい。上記長さが３０ｍｍより短いと歩行しにくくなるとともに刺激力が強くなり、また４０ｍｍいよりも長いと歩きやすいが刺激力が弱くなって好ましくなくなる。８は、すべり止め用の凹凸部である。
【００２２】
図３は、スニーカーやウォーキングシューズの履物１に適用したもので、かかと部９よりも突部５を高くしている。このようなウォーキングシューズにあっても、上記したように効果を奏し得る。
【００２３】
上記底部のゴム材としては、公知のものが利用でき、たとえば天然ゴム、イソプレンゴム、ブタジエンゴム、スチレンブタジエンゴム等を単体あるいは混合物として使用することが可能であり、硬度６０〜７０（ＪＩＳ−Ａ硬度）が好ましい。
【００２４】
また、突部５としては、図４（ａ）、（ｂ）のように断面が半小判形状や直方体形状にすることができ、履物の種類やサイズ、男性用、女性用等に対応して適宜に採択することができる。
【実施例】
【００２５】
図１、図２は、本考案の一実施例のサンダルに実施したもので、サンダル１は硬度６５〜７０の公知のゴム底に所要のアッパー１０を装着したものである。その試用のため、市販されているサンダルに長さ３０ｍｍ、高さ４０ｍｍのゴム底とほぼ同等のやや硬質のゴムのブロックを取り付けて突部５として散歩用として装着した。
【００２６】
その結果、突部５を介して土踏まずを強く刺激されて青竹踏みのようであり、またかかと側で着地するときにはかかとにも十分に刺激が発生し、さらに足指側を介して蹴り出すときには足指部に適宜な刺激力が発生するものであった。そのため、足裏の土踏まずの心包区、湧泉、足心、然谷等の経穴の押圧によって心臓、胆のう、膵臓、腎臓、肝臓、副腎、目、耳の健康回復増進がはかれ、またかかと部の僕参、失眠等の経穴の押圧によって腰、生殖器が、足指の泉生足、裏内庭、通谷等の経穴の押圧によって目、肺、気管支、心臓、胃、腸、脳下垂体、肝臓、膀胱等の健康回復、増進がはかれる。
【００２７】
試用では、突部５をブロック体として底面３に取り付けたものであったが、図１、図２のように底部２と一体化することで耐久性がはかれ、弾力性、その伝達も十分に行われ、上記のように所要の作用、効果がはかれる。
【００２８】
なお、本考案は、上記のようにサンダルやウォーキングシューズとして屋外の歩行用として利用できるのはもちろん、サンダルやスリッパ等として室内でも着用しても同様の作用、効果を奏することができ、いわゆる歩く青竹踏みとして有効利用でき健康回復、増進に寄与できる。
【図面の簡単な説明】
【００２９】
【図１】本考案の一実施例のサンダルの側面図、
【図２】同上の底面図、
【図３】同上の他の実施例の側面図、
【図４】同上の突部のそれぞれ他の実施例の側断面図（ａ）、（ｂ）。
【符号の説明】
【００３０】
１…履物      ２…底部      ３…底面      ４…土踏まず部      ５…突部
【図１】
0003120819.tif 000003
【図２】
0003120819.tif 000004
【図３】
0003120819.tif 000005
【図４】
0003120819.tif 000006